(57)【要約】【課題】磁気テープ記憶装置を、ディスク記憶装置に論理的にマッピングしたディスク・テープ記憶システムを提供する。【解決手段】本発明のディスク・テープ記憶システムは、ディスク・テープ制御装置４と、ディスク記憶装置５と、磁気テープ記憶装置６とから構成されている。ディスク・テープ制御装置４は、ＲＡＩＤ制御部８と、タイミング制御手段１０と対応付け手段１１と対応付け記憶手段１２とテープデータへの変換手段１３とテープへの書き込み手段１４とディスクデータへの変換手段１５とディスクへの書き込み手段１６とを有するテープ制御部７と、により構成されている。【選択図】図１
2008204368.tif 000002
【特許請求の範囲】
【請求項１】
ホストコンピュータが、データを読み書きすることが可能な記憶装置であって、
磁気ディスクにデータを記憶するディスク記憶装置と、磁気テープにデータを記憶する磁気テープ記憶装置と、前記ディスク記憶装置と前記磁気テープ記憶装置を制御するディスクテープ制御装置とを備え、
前記ディスクテープ制御装置は、前記ディスク記憶装置を制御するＲＡＩＤ制御部と、前記磁気テープ記憶装置を制御するテープ制御部とを備え、
前記テープ制御部は、前記ディスク記憶装置の記憶領域と前記磁気テープ記憶装置の記憶領域とを論理的に対応付ける対応付け手段と、
前記対応付け手段によって論理的に対応付けられた関係を記憶する対応付け記憶手段と、
前記ＲＡＩＤ制御部を介して前記ディスク記憶装置に記憶されたデータを読み込み、前記データを磁気テープ記憶装置に書き込めるデータ形式に変換するテープデータへの変換手段と、
前記テープデータへの変換手段によって変換されたデータを、前記変換されたデータの変換前のデータが保存されていた前記ディスク記憶装置の記憶領域と前記対応付け手段によって対応付けられた、磁気テープ記憶装置の対応した記憶領域に書き込むテープへの書き込み手段と、
前記磁気テープ記憶装置に記憶されたデータを読み込み、読み込んだデータを、前記ＲＡＩＤ制御部が前記ディスク記憶装置に書き込むために認識できるデータ形式に変換するディスクデータへの変換手段と、
前記ディスクデータへの変換手段によって変換されたデータを、前記変換されたデータの変換前のデータが保存されていた前記磁気テープ記憶装置の記憶領域と前記対応付け手段によって対応付けられた、ディスク記憶装置の対応した記憶領域に、前記ＲＡＩＤ制御部を介して書き込むディスクへの書き込み手段と、
前記ホストコンピュータからの指令により、または、予め指定されたタイミングにより、前記テープデータへの変換手段とディスクデータへの変換手段にデータの読み込みを指令するタイミング制御手段と
を備えることを特徴とするディスクテープ記憶システム。
【請求項２】
前記タイミング制御手段が、夜間に、前記テープデータへの変換手段に、データの読み込みを指令することにより、
前記ディスク記憶装置に記憶されたデータを前記磁気テープ記憶装置に夜間に書き込むことを
特徴とする請求項１に記載のディスクテープ記憶システム。
【請求項３】
前記タイミング制御手段は、前記ＲＡＩＤ制御部を介して前記ディスク記憶装置の負荷の状況を監視する負荷監視手段を有し、
前記負荷が小さいときに、前記タイミング制御手段が、前記テープデータへの変換手段にデータの読み込みを指令することにより、
前記負荷の小さいときに、前記ディスク記憶装置に記憶されたデータを前記磁気テープ記憶装置に書き込むことを
特徴とする請求項１または２に記載のディスクテープ記憶システム。
【請求項４】
ホストコンピュータが、データを読み書きすることが可能な、磁気ディスクにデータを記憶するディスク記憶装置と磁気テープにデータを記憶する磁気テープ記憶装置を備えたディスクテープ記憶システムにおいて、前記磁気ディスク記憶装置のデータを前記磁気テープ記憶装置に、及び、前記磁気テープ記憶装置のデータを前記ディスク装置に書き込むプログラムであって、
前記ディスク記憶装置の記憶領域と前記磁気テープ記憶装置の記憶領域とを論理的に対応付ける対応付けステップと、
前記対応付けステップによって論理的に対応付けられた関係を記憶する対応付け記憶ステップと、
前記ディスク記憶装置に記憶されたデータを読み込み、前記データを磁気テープ記憶装置に書き込めるデータ形式に変換するテープデータへの変換ステップと、
前記テープデータへの変換ステップによって変換されたデータを、前記変換されたデータの変換前のデータが保存されていた前記ディスク記憶装置の記憶領域と前記対応付け手段によって対応付けられた、磁気テープ記憶装置の対応した記憶領域に書き込むテープへの書き込みステップと、
前記磁気テープ記憶装置に記憶されたデータを読み込み、読み込んだデータを、前記ディスク記憶装置に書き込むことのできるデータ形式に変換するディスクデータへの変換ステップと、
前記ディスクデータへの変換ステップによって変換されたデータを、前記変換されたデータの変換前のデータが保存されていた前記磁気テープ記憶装置の記憶領域と前記対応付けステップによって対応付けられた、ディスク記憶装置の対応した記憶領域に書き込むディスクへの書き込みステップと
前記ディスクデータへの変換ステップによって変換されたデータを、前記ディスク記憶装置に書き込むディスクへの書き込みステップと、
前記ホストからの指令を受け取るステップと、予め指定されたタイミングを読み込むステップを有し、前記ホストコンピュータからの指令により、または、予め指定されたタイミングにより、前記テープデータへの変換ステップと前記テープへの書き込みステップ、または、前記ディスクデータへの変換ステップと前記ディスクへの書き込みステップを実行させるタイミング制御ステップと、
を備えることを特徴とするディスクテープ記憶プログラム。
【請求項５】
前記タイミング制御ステップが、夜間に、前記テープデータへの変換ステップと前記テープへの書き込みステップを実行させることにより、
前記ディスク記憶装置に記憶されたデータを前記磁気テープ記憶装置に夜間に書き込むことを
特徴とする請求項４に記載のディスクテープ記憶プログラム。
【請求項６】
前記タイミング制御ステップは、前記ディスク記憶装置の負荷の状況を監視する負荷監視ステップを含み、
前記負荷が小さいときに、前記タイミング制御ステップが、前記テープデータへの変換ステップと前記テープへの書き込みステップを実行させることにより、
前記負荷の小さいときに、前記ディスク記憶装置に記憶されたデータを前記磁気テープ記憶装置に書き込むことを
特徴とする請求項４または５に記載のディスクテープ記憶プログラム。
【発明の詳細な説明】
【技術分野】
【０００１】
本発明は、ホストコンピュータがデータの読み書きをすることが可能な記憶装置であって、特に、ディスク記憶装置と磁気テープ記憶装置とを有するディスク・テープ記憶システム及びこれに用いられるプログラムに関する。
【背景技術】
【０００２】
従来、ストレージシステムでは、保存データの信頼性や、装置の信頼性を確保するために、保存データや装置に冗長性を持たせることが行われている。ディスク装置においては、冗長性を持たせる方法として、ＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）が知られている。
【０００３】
ＲＡＩＤシステムとは、データを複製したり、データを分解し、分解したデータと分解前のデータのパリティデータとを複数のディスクに分散して記憶することによって、データに冗長性を持たせ、あるいは、ディスク読み書き速度性能を向上させることを可能とするシステムのことである。ＲＡＩＤシステムは、その構成により、ＲＡＩＤ０、ＲＡＩＤ１、ＲＡＩＤ０＋１、ＲＡＩＤ２、ＲＡＩＤ３、ＲＡＩＤ４、ＲＡＩＤ５等のＲＡＩＤレベルが知られており、ＲＡＩＤレベルによって、信頼性と性能が異なってくる。
【０００４】
しかしながら、信頼性と性能とは相反した特性となっており、信頼性を上げれば性能は低下し、性能を上げれば信頼性は低下することになる。システム構成後に、信頼性や性能を変更するためにＲＡＩＤレベルを変更する場合は、いったんシステムを停止しなければ変更できなかった。
【０００５】
システムを停止せずにＲＡＩＤレベルを変更できる装置、及び方法として「ＲＡＩＤ装置及びその論理デバイス拡張方法」（特許文献１）が提案されている。特許文献１に記載されたＲＡＩＤ装置は、少なくとも、ＲＡＩＤレベルと論理デバイス数を定義した新旧のＲＡＩＤ構成定義情報を使用し、それぞれによりＲＬＵマッピングして、ＲＡＩＤ構成を変更するため、多様なＲＡＩＤレベルの変換、容量増加を実現できるとしている。
【特許文献１】特開第２００４−２１３０６４号公報
【発明の開示】
【発明が解決しようとする課題】
【０００６】
しかしながら、従来技術では、ＲＡＩＤシステムは、ディスク記憶装置で構成されており、磁気テープ記憶装置を接続することはできなかった。ディスク記憶装置と、磁気テープ記憶装置では、フォーマットの形式が異なり、アクセス速度が違いすぎるため、磁気テープ記憶装置を含んでＲＡＩＤシステムを構成することが困難だったからである。
【０００７】
そのため、ＲＡＩＤシステムは、単位容量あたりの単価の高いディスク記憶装置のみで構成され、全体として高価なものとなっていた。また、ＲＡＩＤシステムは、性能を上げれば信頼性が低下する特性を持つため、性能を上げ、かつ、信頼性も高くすることができなかった。
【０００８】
そこで、本発明の目的は、ＲＡＩＤシステムと磁気テープ記憶装置とを接続することにより、ＲＡＩＤシステムとして性能を上げながらも、磁気テープ記憶装置により冗長性を持たせて信頼性も向上させた、ディスク・テープ記憶システム及びディスク・テープ記憶プログラムを提供することにある。  
【課題を解決するための手段】
【０００９】
本発明の課題は、下記の各発明によって解決することができる。
即ち、本発明のディスク・テープ記憶システムは、ホストコンピュータが、データを書き込み、及び、読み込みすることが可能な記憶装置であって、磁気ディスクにデータを記憶するディスク記憶装置と、磁気テープにデータを記憶する磁気テープ記憶装置と、前記ディスク記憶装置と前記磁気テープ記憶装置を制御するディスク・テープ制御装置とを備え、前記ディスク・テープ制御装置は、前記ディスク記憶装置を制御するＲＡＩＤ制御部と、前記磁気テープ記憶装置を制御するテープ制御部とを備え、前記テープ制御部は、前記ディスク記憶装置の記憶領域と前記磁気テープ記憶装置の記憶領域とを論理的に対応付ける対応付け手段と、前記対応付け手段によって論理的に対応付けられた関係を記憶する対応付け記憶手段と、前記ＲＡＩＤ制御部を介して前記ディスク記憶装置に記憶されたデータを読み込み、前記データを磁気テープ記憶装置に書き込めるデータ形式に変換するテープデータへの変換手段と、前記テープデータへの変換手段によって変換されたデータを、前記変換されたデータの変換前のデータが保存されていた前記ディスク記憶装置の記憶領域と前記対応付け手段によって対応付けられた、磁気テープ記憶装置の対応した記憶領域に書き込むテープへの書き込み手段と、前記磁気テープ記憶装置に記憶されたデータを読み込み、読み込んだデータを、前記ＲＡＩＤ制御部が前記ディスク記憶装置に書き込むために認識できるデータ形式に変換するディスクデータへの変換手段と、前記ディスクデータへの変換手段によって変換されたデータを、前記変換されたデータの変換前のデータが保存されていた前記磁気テープ記憶装置の記憶領域と前記対応付け手段によって対応付けられた、ディスク記憶装置の対応した記憶領域に、前記ＲＡＩＤ制御部を介して書き込むディスクへの書き込み手段と、前記ホストコンピュータからの指令により、または、予め指定されたタイミングにより、前記テープデータへの変換手段とディスクデータへの変換手段にデータの読み込みを指令するタイミング制御手段とを備えることを主要な特徴としている。
【００１０】
このため、ＲＡＩＤを構成しているディスクに記憶されたデータは、磁気テープ記憶装置にも記憶されることになり、データ、装置ともに冗長性を持つことができるのでデータ及び装置の信頼性が向上する。よって、ＲＡＩＤシステムは、性能を向上すれば信頼性が低下する特性を持つにもかかわらず、冗長性性を磁気テープ記憶装置で補うことによって、性能を向上させても信頼性の低下を防ぐことができる。
【００１１】
冗長性を持たせる装置として、単位容量あたりの単価の安い磁気テープ記憶装置を使用するので、本発明の、ディスク・テープ記憶システムは、性能も信頼性も高く、かつ、安価にすることができる。
【００１２】
また、ディスク記憶装置と磁気テープ記憶装置とのデータは、同じものとなるように更新される。よって、データが既に入った磁気テープ記憶装置を本発明のディスク・テープ記憶システムに接続することにより、磁気テープ記憶装置内のデータはディスク記憶装置にコピーされるので、磁気テープ記憶装置内データのディスク記憶装置へのマイグレーションを容易に行うことができる。
【００１３】
また、本発明のディスク・テープ記憶システムは、前記タイミング制御手段が、夜間に、前記テープデータへの変換手段に、データの読み込みを指令することにより、前記ディスク記憶装置に記憶されたデータを前記磁気テープ記憶装置に夜間に書き込むことを主要な特徴としている。
【００１４】
このため、通常負荷の少ない夜間にデータの更新作業が行われるので、ディスク記憶装置の負荷の平準化を図ることができ、ディスク記憶装置へのアクセス速度の低下を防ぐことができる。
【００１５】
更に、本発明のディスク・テープ記憶システムは、前記タイミング制御手段は、前記ＲＡＩＤ制御部を介して前記ディスク記憶装置の負荷の状況を監視する負荷監視手段を有し、前記負荷が小さいときに、前記タイミング制御手段が、前記テープデータへの変換手段にデータの読み込みを指令することにより、前記負荷の小さいときに、前記ディスク記憶装置に記憶されたデータを前記磁気テープ記憶装置に書き込むことを主要な特徴としている。
【００１６】
このため、夜間でも負荷の減らない状況下においても、負荷の少ないときを検知して更新作業を行うことできる。よって、ディスク記憶装置の負荷の平準化を図ることができ、ディスク記憶装置へのアクセス速度の低下を防ぐことができる。
【発明の効果】
【００１７】
以上説明したように、本発明のディスク・テープ記憶システムは、ＲＡＩＤシステムの性能を向上させつつも、データや装置の信頼性を高く保つことができる。また、システム全体の製造コストを低く抑えることもできる。
【００１８】
更に、ディスク記憶装置から磁気テープ記憶装置へのデータ更新は、ディスク記憶装置の負荷の少ないときに行うことができるので、更新作業による、ディスク記憶装置のアクセス速度の低下を防ぐこともできる。
【発明を実施するための最良の形態】
【００１９】
以下、本発明の実施の形態について、添付図面に基づいて具体的に説明する。
【００２０】
（構成）
図１は、本発明の一実施形態に係るディスク・テープ記憶システムの全体構成図である。ホストコンピュータ１とディスク・テープ記憶システム２は、ケーブル３によって接続されている。ケーブル３は、コンピュータと外部記憶装置を接続するケーブルであり、コンピュータと外部記憶装置との接続インタフェースによって、専用のケーブルが使用される。
【００２１】
例えば、ファイバーチャネルで接続される場合は、ファイバーケーブルが使用され、ＥＳＣＯＮ（Ｅｎｔｅｒｐｒｉｓｅ  Ｓｙｓｔｅｍ  ＣＯＮｎｅｃｔｉｏｎ）（登録商標）で接続される場合はＥＳＣＯＮケーブルが使用される。そのほか、インタフェースによって、ＦＩＣＯＮ（ＦＩｂｒｅ  ＣＯＮｎｅｃｔｉｏｎ）（登録商標）ケーブル、ＳＣＳＩケーブルなども使用される。しかし、これに限定されるものではなく、通常、使用されるインタフェースに合わせて、それにあったケーブルを使用することが出来る。ここで、ＥＳＣＯＮとは、ＩＢＭから発表されたメインフレーム向けの光ファイバーケーブルおよび入出力アーキテクチャーのことで、ＦＩＣＯＮとは、ＥＳＣＯＮアーキテクチャーの制限を取り除くことを目標にＥＳＣＯＮの拡張版として発表された入出力チャネルのことである。
【００２２】
ディスク・テープ記憶システム２は、ディスク・テープ制御装置４と、ディスク記憶装置５と、磁気テープ記憶装置６とから構成されている。ディスク記憶装置５と、磁気テープ記憶装置６は、それぞれディスク・テープ制御装置４に接続されている。
【００２３】
ディスク・テープ制御装置４とディスク記憶装置５との接続は、前記ケーブル３と同様に、接続に使用するインタフェースに応じたケーブルが使用される。例としては、ファイバーケーブル、ＥＳＣＯＭケーブル、ＦＩＣＯＮケーブル、ＳＣＳＩケーブルなどがあるが、前述同様これらに限定される訳ではない。
【００２４】
また、磁気テープ記憶装置６と、ディスク・テープ制御装置４との接続に使用されるケーブルも全く同様であり、ファイバーケーブル、ＥＳＣＯＭケーブル、ＦＩＣＯＮケーブル、ＳＣＳＩケーブルなどが使用されるがこれらに限定される訳ではない。
【００２５】
ディスク記憶装置５は、複数のハードディスク５ＡによってＲＡＩＤを構成しており、ディスク記憶装置５がディスク・テープ制御装置４に接続されている。
【００２６】
磁気テープ記憶装置６は、１個または複数個の磁気テープ６Ａで構成されており、ディスク・テープ制御装置４に接続されている。
【００２７】
ディスク・テープ制御装置４は、テープ制御部７と、ＲＡＩＤ制御部８と、ポート９とから構成されている。各ポート９は、ケーブルを介してそれぞれ、ホストコンピュータ１、ディスク記憶装置５、そして磁気テープ装置６の図示せぬポートに接続されている。
【００２８】
テープ制御部７は、タイミング制御手段１０と、対応付け手段１１と、対応付け記憶手段１２と、データデータへの変換手段１３と、テープへの書き込み手段１４と、ディスクデータへの変換手段１５と、ディスクへの書き込み手段１６とから構成されている。
【００２９】
（動作）
次に、本発明の一実施形態に係るディスク・テープ記憶システムの動作について図１を参照して説明する。
ホストコンピュータ１は、ディスク・テープ記憶システムに書き込むデータをケーブル３を介してディスク・テープ記憶システムに送信する。送信されたデータは、ポート９を介してＲＡＩＤ制御部８が受け取る。ＲＡＩＤ制御部８は、受け取ったデータをディスク記憶装置５に書き込めるデータ形式に変換し、ポート９を介して、ディスク記憶装置５に送信する。ディスク記憶装置５は、受け取ったデータを磁気ディスクに書き込む。
【００３０】
ここで、ディスク記憶装置５は、ＲＡＩＤを構成しており、ＲＡＩＤ制御部８は、ホストコンピュータ１から受け取ったデータをそのＲＡＩＤ構成にあったデータ形式に変換すると共に、複数のディスク記憶装置へのデータの書き込み処理を行う。例えば、ディスク記憶装置５がＲＡＩＤ５を構成している場合には、ＲＡＩＤ制御部８は、データを分割すると共にパリティデータを作成し、分割されたデータとパリティデータをそれぞれ別のディスク記憶装置５に書き込み処理を行う。
【００３１】
ホストコンピュータ１がデータを読み込むときは、ホストコンピュータ１は、データの読み込み指令をケーブル３を介してＲＡＩＤ制御部８に送信する。データの読み込み指令を受け取ったＲＡＩＤ制御部８は、ディスク記憶装置５から所定のデータを読み込み、ホストコンピュータが読み込めるデータ形式に変換して、ホストコンピュータ１に送信する。
【００３２】
テープ制御部７は、対応付け手段１１により、ディスク記憶装置５と、磁気テープ記憶装置６との対応付けを行う。この対応付けは、ホストコンピュータ１からの指令によって行い、ホストコンピュータ１に指令されたディスク記憶装置５と、磁気テープ記憶装置６との対応付けを行う。また、この対応付けは、予め対応付けルールを記憶させておき、記憶されたルールに従って対応付けを行うこともできる。
【００３３】
具体的には、対応付け手段１１が、ＲＡＩＤ記憶装置８によって論理的にマッピングされたディスク記憶装置５の各記憶領域のマッピングデータを、磁気テープ記憶装置６の各記憶領域に対応付けすることによって行われる。このため、記憶領域の一つの論理的なアドレスは、ディスク記憶装置５内と磁気テープ記憶装置６内に論理的にマッピングされることになる。
対応付け手段１１によってなされた、ディスク記憶装置５と磁気テープ記憶装置６との対応付けは、対応付け記憶手段１２に記憶される。
【００３４】
タイミング制御手段１０は、ホストコンピュータ１からの指令により、または、予め指定されたタイミングにより、ディスク記憶装置５に記憶されたデータを読み込む指令をテープデータへの変換手段１３に送る。テープデータへの変換手段１３は、その指令に基づきＲＡＩＤ制御部８を介してディスク記憶装置５からデータを読み込む。読み込むデータは、対応付け記憶手段１２に記憶された内容を基にタイミング制御手段１０が指令した、磁気テープ記憶装置６と対応付けされた記憶領域のデータである。
【００３５】
次に、テープデータへの変換手段１３は、読み込んだデータをテープ記憶装置６に書き込めるデータ形式に変換する。変換されたデータは、テープへの書き込み手段１４によって磁気テープ記憶装置６に書き込まれる。この際、書き込まれるデータは、読み込まれたディスク記憶装置５の記憶領域と対応付けられた磁気テープ記憶装置６の記憶領域に書き込まれる。
このため、磁気テープ記憶装置６と対応付けられたディスク記憶装置５は、同一のデータ内容を磁気テープ記憶装置内にも持つことになる。
【００３６】
タイミング制御手段１０は、ホストコンピュータ１からの指令により、または、予め指定されたタイミングにより、磁気テープ記憶装置６に記憶されたデータを読み込む指令をディスクデータへの変換手段１５に送る。ディスクデータへの変換手段１５は、その指令に基づき磁気テープ記憶装置６からデータを読み込む。読み込むデータは、対応付け記憶手段１２に記憶された内容を基にタイミング制御手段１０が指令した、ディスク記憶装置５と対応付けされた記憶領域に存在するデータである。
【００３７】
次に、ディスクデータへの変換手段１５は、読み込んだデータをＲＡＩＤ制御部８がディスク記憶装置５に書き込むために認識できるデータ形式に変換する。変換されたデータは、ディスクへの書き込み手段１６によってＲＡＩＤ制御部８を介してディスク記憶装置５に書き込まれる。この際、書き込まれるデータは、読み込まれた磁気テープ記憶装置６の記憶領域と対応付けられたディスク記憶装置５の記憶領域に書き込まれる。
【００３８】
ここで、タイミング制御手段１０は、ディスク記憶装置５と、それに対応付けられた磁気テープ記憶装置６とのデータを監視する手段を有し、変更が加えられた場合にその変更をもう一方の記憶装置に書き込むようにテープデータへの変換手段１３、または、ディスクデータへの変換手段１５に指令することもできる。これにより、両記憶装置間で、データ内容にずれのある期間を短くすることができる。
【００３９】
また、タイミング制御手段１０は、対応付けられている両記憶装置間でデータに差分がある場合のみ、その差分データだけを書き込むように指令することもできる。これにより、両記憶装置の負荷が小さくなると共に、データの更新時間を短くすることができる。
【００４０】
更に、タイミング制御手段１０は、ディスク記憶装置５のデータの磁気テープ記憶装置への書き込み、または、磁気テープ記憶装置６のデータのディスク記憶装置５への書き込み（以後、データの更新と称する。）の指令を、夜間に出すようにすることもできる。これにより、ディスク記憶装置５、磁気テープ記憶装置６の使用負荷の大きい昼間に、データの更新による負荷をかけないですむことになる。
【００４１】
更にまた、タイミング記憶装置１０は、ディスク記憶装置５の負荷を監視する負荷監視手段を有し、負荷の小さいときにデータ更新の指令を出すことも出来る。これにより、ディスク記憶装置５の負荷の平準化が可能となり、ディスク記憶装置５の負荷が高いときに、データの更新による負荷をかけないですむことになる。
【００４２】
以上説明したように、本発明のディスクテープ記憶システムによれば、ホストコンピュータ１からは、磁気テープ記憶装置６は、ディスク記憶装置として見える。よって、ディスク記憶装置５とアクセスするのと同様に、磁気テープ記憶装置６とアクセスできる。このため、磁気テープ記憶装置６の転送速度の遅さを気にすることなく、ディスク記憶装置を使用するのと同様に使用することができる。
【００４３】
また、データは、磁気ディスク記憶装置５と、磁気テープ記憶装置６との両方で記憶することにより、一方のデータが破壊されても容易にデータの復旧を行うことができる。
【００４４】
更に、過去使用されていた磁気テープ記憶装置を、本発明のディスク・テープ記憶システムに接続することにより、過去使用されていた磁気テープ記憶装置のデータ領域と、ディスク記憶装置のデータ領域が対応付けされて、磁気テープ記憶装置内に記憶されたデータが、ディスク記憶装置に複写される。このため、過去使用されていた磁気テープ記憶装置のデータをディスクに容易にマイグレーションすることができる。ここでマイグレーションとは、プログラムやデータを新しいコンピュータシステム等に移行させることを言う。
【００４５】
なお、本発明は、本発明の技術的思想の範囲内で様々な変更が可能である。
例えば、ディスク・テープ制御装置４は、ホストコンピュータに内蔵することも出来る。また、ディスク記憶装置５は、必ずしもＲＡＩＤを形成する必要は無く、単一のハードディスクでも、ディスクアレイでもよい。この場合は、ＲＡＩＤ制御部８は、通常ハードディスクを制御するのに用いられるディスク制御装置となる。
【００４６】
また、ディスク記憶装置５あるいは、磁気テープ記憶装置６がディスク・テープ制御装置４に接続されたとき、その接続をタイミング制御手段１０が、自動的に認識して、各記憶装置の記憶領域の対応付けも、自動的に行うこともできる。これにより、ディスク・テープ制御装置４に、ディスク記憶装置５や磁気テープ記憶装置６を接続するだけで、ディスク記憶装置５と磁気テープ記憶装置６とが、論理的に対応付けされ、ホストコンピュータ１の操作利便性が増すことになる。
【００４７】
なお、本発明は、その技術的思想の範囲内で様々な変更が可能である。例えば、本発明のディスク・テープ記憶システムが行う動作は、記憶装置上のプログラムをコンピュータシステムや、ディスク・テープ制御装置のＣＰＵが読み込み、実行することによっても行うことができ、全く同様の作用効果を得て、発明が解決しようとする課題を解決することができる。
【産業上の利用可能性】
【００４８】
本発明のディスク・テープ記憶システムは、コンピュータのＣＰＵ、メモリ、ストレージ等を含むハードウェア資源によって実現されるものであり、データの記憶という情報処理が上記のハードウェア資源を用いて具体的に実現されるものであるから、自然法則を利用した技術的思想に該当するものであり、ディスク記憶装置を使用する様々な分野において利用することができるものである。
【図面の簡単な説明】
【００４９】
【図１】本発明の実施形態に係るディスク・テープ記憶システムの全体構成図
【符号の説明】
【００５０】
１    ホストコンピュータ
２    ディスク・テープ記憶システム
３    ケーブル
４    ディスク・テープ制御装置
５    ディスク記憶装置
５Ａ  ハードディスク
６    磁気テープ記憶装置
６Ａ  磁気テープ
７    テープ制御装置
８    ＲＡＩＤ制御部
９    ポート
１０  タイミング制御手段
１１  対応付け手段
１２  対応付け記憶手段
１３  テープデータへの変換手段
１４  テープへの書き込み手段
１５  ディスクデータへの変換手段
１６  ディスクへの書き込み手段
【図１】
2008204368.tif 000003